(57)【要約】クッション性の有るアンダーワイヤーは、異なる幅とサイズとを有する様々の異なるブラジャーと協働している。このクッション性の有るアンダーワイヤーは、調節可能であり、また、ブラジャーの外周部分に沿って接続された複層のケーシング内に位置されている。このケーシングは、ブラジャーのブレストカップ部分を形成するのに使用される１つ以上の材料層に接続されている。ケーシングの少なくとも一部は、クッション性、並びに/若しくは保護性のバリアーによって重ねられている。このクッション性のバリアーは、快適性と女性を引きつける魅力との両方を与えている。【特許請求の範囲】
【請求項１】
本体と、
この本体の表若しくは中に設けられ、各々が側方エッジを有している１対のブレストカップと、
各々が、前記１対の側方エッジの各々の所に配置されている１対のアンダーワイヤーケーシングと、
各々が、前記１対のアンダーワイヤーケーシングの各々の中に位置されている１対のアンダーワイヤーとを具備しており、この１対のアンダーワイヤーの各々は、ばね端部を有し、前記１対の側方エッジの一方は、この上に第１のクッションバリアーを有し、この第１のクッションバリアーは、前記１対のアンダーワイヤーの一方を包むための第１の内側ポケットを形成している、着用者の乳房組織をサポートするためのブラジャー。
【請求項２】
前記１対の側方エッジの他方の上に第２のクッションバリアーをさらに具備しており、この第２のクッションバリアーは、前記１対のアンダーワイヤーの他方を包むための第２の内側ポケットを形成している請求項１のブラジャー。
【請求項３】
前記１対の側方エッジの一方は、第１の外側ポケットを形成するように前記第１のクッションバリアーと協働しており、前記１対のアンダーワイヤーケーシングの一方は、前記第１の外側ポケット上、若しくは上方に配置されている請求項２のブラジャー。
【請求項４】
前記１対の側方エッジの他方は、第２の外側ポケットを形成するように前記第２のクッションバリアーと協働しており、また、前記１対のアンダーワイヤーケーシングの他方は、前記第２の外側ポケット上、若しくは上方に配置されている請求項３のブラジャー。
【請求項５】
前記１対のアンダーワイヤーケーシングの少なくとも一方は、前記第１のクッションバリアーと、前記１対の側方エッジの一方と、中に前記１対のアンダーワイヤーの一方とを有している請求項４のブラジャー。
【請求項６】
前記１対のアンダーワイヤーケーシングの他方は、前記第２のクッションバリアーと、前記１対の側方エッジの他方と、中に前記１対のアンダーワイヤーの他方とを有している請求項５のバリアー。
【請求項７】
前記１対のアンダーワイヤーケーシングの少なくとも一方は、内層と、中間層と、外層とを有している請求項６のブラジャー。
【請求項８】
前記１対のアンダーワイヤーケーシングの他方は、内層と、中間層と、外層とを有している請求項６のブラジャー。
【請求項９】
前記１対のアンダーワイヤーは、各々が調節可能である請求項１のブラジャー。
【請求項１０】
前記１対のアンダーワイヤーケーシングの一方の前記外層は、前記中間層近くに設けられており、この中間層は、この中間層の一部、前記内層、並びに/若しくは前記中間層を少なくともオーバーラップさせるように折り重なっている請求項８のブラジャー。
【請求項１１】
前記１対のアンダーワイヤーの一方は、ばねに接続された部材を備えた端部を有しており、この部材は、第１の圧縮位置から第２の伸張位置に移動する請求項１のブラジャー。
【請求項１２】
本体と、
この本体の表若しくは中に設けられ、各々が側方エッジを有している１対のブレストカップと、
各々が、前記１対の側方エッジの各々の所に配置されている１対のアンダーワイヤーケーシングと、
各々が、前記１対のアンダーワイヤーケーシングの各々の中に配置され、ばね状の先端部を有している１対のアンダーワイヤーとを具備しており、前記１対の側方エッジの各々は、この上に１対のクッションバリアーの一方を有し、前記１対のクッションバリアーの一方は、前記アンダーワイヤーの一方を包むための第１の内側ポケットを形成し、前記１対のクッションバリアーの他方は、前記１対のアンダーワイヤーの他方を包むための第２の内側ポケットを形成し、前記１対のクッションバリアーの一方は、前記１対のアンダーワイヤーの一方の一部に重なるような所定の広がりを有し、そして、前記アンダーワイヤーケーシングの一方は、前記広がりと、ブレストカップの前記側方エッジの一方と、前記１対のアンダーワイヤーの一方との上、若しくは上方に配置されている、着用者の乳房組織をサポートするためのブラジャー。
【請求項１３】
前記１対のアンダーワイヤーは、両方が調節可能である請求項１２のブラジャー。
【請求項１４】
前記１対のアンダーワイヤーは、着用者への快適性を改善し、ブラジャーのいらいらを減じ、そして材料の破壊に対する保護を与えるように形成されている請求項１３のブラジャー。
【請求項１５】
前記１対のアンダーワイヤーケーシングの他方は、前記１対のアンダーワイヤーの他方に重なるような第２の広がりを有しており、前記１対のアンダーワイヤーケーシングの他方は、前記第２の広がりと、１対のブレストカップの前記１対の側方エッジの他方と、前記１対のアンダーワイヤーの他方とに渡って設けられている請求項１３のブラジャー。
【請求項１６】
前記１対のアンダーワイヤーケーシングの各々は、内層と、中間層と、外層とを有している請求項１２のブラジャー。
【請求項１７】
前記１対のアンダーワイヤーケーシングは、両方が多層構造である請求項１２のブラジャー。
【請求項１８】
前記１対のアンダーワイヤーの各々は、可変の断面を有している請求項１２のブラジャー。
【請求項１９】
前記１対のクッションバリアーは、タフェタの織物材料で形成されている請求項１５のブラジャー。
【請求項２０】
本体と、
この本体に設けられ、かつ各々が側方エッジを有している１対のブレストカップと、
各々が、１対の前記側方エッジの各々の所に配置され、ポリエステルからなる内側織物層と、ナイロンタフタの材料からなる中間層並びに外層とで少なくとも構成されている１対のアンダーワイヤーケーシングと、
各々が、前記１対のアンダーワイヤーケーシングの各々に配置され、ばねを備えた端部を有している１対のアンダーワイヤーとを具備しており、前記１対の側方エッジの一方は、この上に第１のクッションバリアーを有し、この第１のクッションバリアーは、前記１対のアンダーワイヤーの一方を中に包むための第１の内側ポケットを形成しており、前記１対のアンダーワイヤーケーシングの一方は、前記１対のアンダーワイヤーと前記第１のクッションバリアーの一部とを覆うように設けられている、着用者の乳房組織をサポートするためのブラジャー。
【発明の詳細な説明】
【技術分野】
【０００１】
本発明は、ブラジャーに関する。より詳細には、本発明は、ブラジャーのためのクッション性の有るアンダーワイヤーに関する。
【背景技術】
【０００２】
ブラジャー、若しくはブラジャーカップの下縁を形成並びにサポートするためのアンダーワイヤー部材の使用が、本分野で長く知られている。ここで、“アンダーワイヤー”という用語は、このような部材を参照するのに共通して使用されている。アンダーワイヤーは、例えば、１対のブラジャーカップに夫々対応し、金属からなる１対のＵ字型ワイヤーフレームのような複数の形状をなすことができる。代わって、アンダーワイヤーは、両ブラジャーカップを横切る単一かつ一体的なワイヤーフレームであり得る。これら様々なアンダーワイヤーは、金属、若しくは、プラスチック又はポリマー材料のような他の比較的硬質の材料で代表的に形成されている。
【０００３】
これらアンダーワイヤーフレームの従来の目的は、外見上のために着用者の体に容易になじむのに十分な可撓性を有しつつ、バストのためのサポートを与えることである。従来のアンダーワイヤーフレームに関連した欠点は、アンダーワイヤーフレームが、時間と共にブラジャーの材料をすり減らす可能性があり、着用者の衣服にダメージを与えると考えられ、また、アンダーワイヤーが、着用者のバストの大きさと相対的な硬さとに快適に応じるように個々に形成されなければならず、様々な使用者からの必要性に応じた適合性の不快感並びに欠如を与えてしまうことである。
【０００４】
以上の観点から、着用に快適な、弾性の、そして着用者の胸部を適切にサポートするアンダーワイヤー、若しくはアンダーワイヤーフレームの必要性が常にある。
【発明の開示】
【発明が解決しようとする課題】
【０００５】
本発明の目的は、上述された欠点を克服するクッション性の有るアンダーワイヤーを提供することである。
【０００６】
本発明の他の目的は、優れた快適性と、サポートと、女性を引きつける魅力とを与える、クッション性の有るアンダーワイヤーを提供することである。
【０００７】
本発明の更なる他の目的は、分厚い外形、並びに/若しくは硬いこわばった感じを回避する、クッション性の有るアンダーワイヤーを提供することである。
【０００８】
本発明の更なる他の目的は、また、調整可能であり、従って複数の異なるサイズのブラジャーに使用され得るクッション性の有るアンダーワイヤーを提供することである。
【０００９】
本発明の更なる目的は、ブラジャーに通常組み合わされ得るクッション性の有るアンダーワイヤーの構造を提供することである。
【課題を解決するための手段】
【００１０】
本発明のこれら並びに他の目的と効果とは、異なる幅とサイズとを有する様々の異なるブラジャーと協働するのに適した、クッション性の有る１つ以上のアンダーワイヤーによって達成される。１つ以上のアンダーワイヤーは、調節可能な１つ以上の端部を有していることが好ましい。アンダーワイヤーは、様々のブラジャーの外周部分に沿って接続され得る複層のケーシング内に位置されることが好ましい。このケーシングは、ブラジャーのブレストカップ部分を形成するのに使用される１つ以上の材料層に接続されることができる。ケーシングの少なくとも一部は、クッション性の、並びに/若しくは保護性のバリアーによって重ねられている。このバリアーは、快適性と女性を引きつける魅力との両方を改善することが好ましい。
【００１１】
本発明の他の並びに更なる目的、効果、特徴は、同じ参照符号が同じ構造部材を示している添付図面と共に以下の仕様を参照することによって理解されるであろう。
【発明を実施するための最良の形態】
【００１２】
図面、特に図１には、本発明の図示の実施形態に従い、参照符号１０によって全体的に示されたブラジャーが与えられている。本発明の一態様で示されているように、好ましくは様々な異なるブラジャーと協働するのに適した１つ以上のアンダーワイヤー２０が、ケーシング３０中に位置されている。
【００１３】
このケーシング３０は、これの外周部分４０に沿って、並びに/若しくは、好ましくは、ブラジャー１０の１つ以上のブレストカップ部分５０に密接した関係で、ブラジャー１０に動作的に接続されている。
【００１４】
本発明の好ましい一態様において、クッション性の有るバリアー６０が、前記ケーシング３０と協働している。ここで、“協働”という用語は、バリアー６０が、ケーシング３０、並びに/若しくはブラジャー１０と分離可能に接続されても良いし、ケーシング３０、並びに/若しくはブラジャー１０と一体的に形成されても、良いし、若しくは、以下に説明された意図された効果を少なくとも与えるように、ケーシング３０、並びに/若しくはブラジャー１０と動作的に接続されても良いことを意味するように意図されている。
【００１５】
図２に示された本発明の一態様において、各アンダーワイヤー２０は、弓形に曲げられていることが好ましく、ばね金属、弾性プラスチック、又は他の同様の柔軟材料で形成、並びに/若しくは、これらいずれかの組み合わせで形成されることができる。
【００１６】
図示されているように、各アンダーワイヤー２０は薄く、ほぼ平らな２つの主面が目立たないようなサイズ、並びに/若しくは構成であることが好ましい。
【００１７】
即ち、各アンダーワイヤー２０は、本発明のこの態様において、図２Ａに示されたもののように、滑らかでほぼ平らな矩形の断面を有していることが好ましい。また、他の形状/構造が、使用されることもできる。
【００１８】
好ましくは、前記１つ以上のアンダーワイヤー２０の各端部２２、並びに/若しくは全長は、キャップ、即ちシース２４中に収容されることができる。このシース２４は、比較的ソフトで滑らかの、並びに/若しくは、可撓性の材料で形成されている。このような材料は、着用の間の快適さの向上のために、並びに/若しくはケーシング３０並びに/若しくはブラジャー１０へのダメージに対する耐久性のある保護のために、プラスチック、若しくはエラストマー材料であり得る。各アンダーワイヤー２０は、適切な方法（例えば、接着、裁縫、ステッチ等）で、ケーシング３０内でこれに接続、若しくは取着されることが好ましい。アンダーワイヤー２０は、着用者の胸部をサポート、バストアップ、並びに/若しくは寄せる(bias)ように機能することが好ましい。
【００１９】
図３、並びに３Ａないし３Ｃには、本発明の他の態様における、可変の断面を有したアンダーワイヤー２０が与えられている。図示されているように、各アンダーワイヤー２０は、しなやかに曲げられた２つの主面を有する可変かつほぼ卵形状の断面を有することができる。本発明のこの態様において、各アンダーワイヤー２０は、これの広がり、若しくは長さに沿った方向に変形する滑らかな卵形状の断面を有することが好ましい。例えば、好ましくは各アンダーワイヤー２０の両端部２２に位置する１つ以上の第１の部分が、図３Ａ並びに３Ｃに示されたもののような第１の方向性(orientation)を有することができ、また、好ましくは各アンダーワイヤー２０の中央部２６に沿って設けられた１つ以上の第２の部分が、図３Ｂに示されたもののような(例えば、第１の方向性から９０度回転された)第２の方向性を有することができる。本発明のこのような態様によって、アンダーワイヤー２０は、複数の異なるサイズのブラジャーに組み込まれ、並びに/若しくは、比較的同じカップサイズの種々に異なる形状の胸部に、好ましくは快適に一致、並びに/若しくはこのような胸部を収容することができる。また、他の形状、構造、並びに/若しくは方向付けが使用されることもできる。
【００２０】
図１，２，並びに３において、本発明の他の態様として、キャップ、即ちシース２４は、可撓性の部材２８（例えば、圧縮ばね、引張ばね、ピボット部材等）によってアンダーワイヤー２０と協働することができる。好ましくは、この可撓性の部材２８は、この部材が関連付けられた各端部２２を、端部との相互作用、若しくは端部に加えられる力に応じて（例えば、長手方向、並びに/若しくは横方向に）移動させることができる。また、他の構造も考えられ、これが本発明の範囲内であることに注意すべきである。
【００２１】
図４を参照した本発明の好ましい態様において、ケーシング３０は、ブレストカップ部分５０、並びに/若しくは外周部分と動作的に接続されている。本発明のこの態様のケーシング３０は、３つの材料層、即ち内層３２と中間層３４と外層３６とを有していることが好ましい。
【００２２】
前記内層３２は、１つ以上のアンダーワイヤー２０を実質的に囲むように各アンダーワイヤー２０に対して位置され、アンダーワイヤーのための内側カバーを形成していることが好ましい。内層３２は、また、ケーシング３０、並びに/若しくはブラジャーに関連付けられた様々な他の材料層を貫通した、１つ以上のアンダーワイヤー２０の破壊を最小、若しくは防止するのに適した材料で形成されることが好ましい。内層３２は、また、不織物、非伸張性の材料で形成され得るが、これらである必要はない。内層３２は、好ましくは軽量であり、例えば、１平方ヤード（９１．４ｃｍ２）当り約５オンス（０．１４１７４７５ｋｇ）±１０％のポリエステルでできている。最も好ましくは、内層３２は、“Ｔｉｅｔｅｘ（登録商標）”として販売されている織物材料でできている。内層３２の破壊強度(puncture strength)は、１平方インチ（６．４５１６ｃｍ２）当り少なくとも約１１０ポンド（４９．８９５１６０７ｋｇ）である。内層３２の張力は、少なくとも約５５ポンド（２４．９５８５８０３５ｋｇ）である。内層３２の好ましい厚さは、約０．５３ｍｍないし約０．８４ｍｍである。
【００２３】
前記中間層３４は、少なくとも１つのアンダーワイヤー２０を実質的に囲んでアンダーワイヤーのための中間カバーを形成するように、内層３２と外層３６との間に位置されることが好ましい。この中間層３４は、また、ケーシング３０、並びに/若しくはブラジャー１０に関連付けられた様々な他の材料層を貫通した、１つ以上のアンダーワイヤー２０の破壊を最小、若しくは無くし、また、クッション効果を与えるのに適した材料で形成されていることが好ましい。中間層３４は、また、不織物、非伸張性の材料であることが好ましいが、これらである必要はない。中間層３４は、また、例えば、１平方ヤード（９１．４ｃｍ２）当り約１．８オンス（０．０５１０２９１ｋｇ）ないし１平方ヤード（９１．４ｃｍ２）当り約２．２オンス（０．０６２３６８９ｋｇ）のナイロン・タフタのように軽量の材料で形成されていることが好ましい。中間層３４の張力は、少なくとも約７０ポンド（３１．７５１４６５９ｋｇ）であることが好ましく、一方、中間層３４の引張り幅(tensile width)は、少なくとも約６０ポンド（２７．２２７５４２２ｋｇ）であることが好ましい。
【００２４】
前記外層３６は、前記中間層３４の周りに位置されてケーシング３０を形成するように、外層、内層３２、並びに/若しくは中間層３４の一部を少なくとも重ねるように折ることが好ましい。外層３６は、また、更なるクッション効果を与えるのに適した材料で形成されることが好ましい。外層３６は、内層３２と中間層３４との両方がそうであり得るように、前に述べられた機能を達成するのに適した様々な材料で形成されることができる。最も好ましくは、外層３６は、適切なタフェタ(Tafetta)の織物材料で形成されている。代わりに、外層３６は、中間層３４と同じ、若しくは異なる材料であり得る。外層３６は、また、例えば、織物含有量において約７８％ないし約８４％のナイロン、並びに/若しくは、織物含有量において約１６％ないし２２％のスパンデックスのような材料の異なる組み合わせで形成されることができる。好ましくは、外層３６は、１平方ヤード（９１．４ｃｍ２）当り約５オンス（０．１４１７４７５ｋｇ）ないし１平方ヤード（９１．４ｃｍ２）当り約５．８（０．１６４４２７１ｋｇ）オンスであり、軽量である。外層３６の引張り幅は、３３ｌｂｓであり、一方、外層の引張り長さ(tensile length)は、少なくとも２５ｌｂｓであることが好ましい。前記ブレストカップ部分５０は、１種の材料層で形成されることが好ましい。
【００２５】
各層は、これに関連付けられた様々な所望の特徴（例えば、バルキー性、弾性、人を引きつける魅力等）を有することができる。各層は、同じ構造、若しくは形状を有する必要はない。各層は、様々な効果を与えるために、別々の形状、サイズ、並びに/若しくは構成を有することができる。また、各層は、所望に応じて、所望の効果（例えば、快適さ、サポート、美的な魅力等）を与えるのに唯一不可欠な他の層に対して位置、並びに/若しくは取着されることができる。
【００２６】
前記ブレストカップ部分５０は、様々な様式の効果を与え、着用者の胸部の女性を引きつける魅力を高めることが望まれるような優れた制御、サポート、並びに/若しくはバストアップを容易に与えるのに適するようにモールド成形可能であることが好ましい。好ましくは、ブレストカップ部分５０は、このような課題を達成するのに適した、若しくは通常知られた既知の技術を使用して（例えば、裁縫、編み、織り、若しくはモールド成形等によって）形成されることができる。
【００２７】
本発明の他の態様において、更なる層が、また、与えられ得ることに注意すべきである。例えば、別の接着、若しくは結合層（図示されず）が、様々なカップ層を一緒に溶融、若しくは結合させるために使用されることができる。この結合層は、ブレストカップ部分を形成するのに使用される材料に関連付けられた弾性特性を補うのに十分な弾性特性を有することができる。結合層は、マイクロファイバー、並びに/若しくは特定の不織物を含んだ様々な布、並びに/若しくは材料を形成する技術と協働するのに適している。ブレストカップ部分５０のように、外周部分４０は、また、様々な層、並びに/若しくは材料で形成されることができる。各層は、これに関連した様々な所望の特徴（例えば、バルキー性、弾性、人を引きつける魅力等）を有することができる。
【００２８】
各層は、同じ構造、若しくは形状を有する必要はない。各層は、様々な効果を与えるように、別々の形状、サイズ、並びに/若しくは構成であり得る。また、各層は、所望に応じて、所望の効果（例えば、快適性、サポート、美的な魅力等）を与えるのに唯一不可欠な他の層に対して位置、並びに/若しくは取着されることができる。外周部分４０は、様々な様式の効果を与え、また、着用者の胸部の女性を引きつける魅力を高めることが望まれるような優れた制御、サポート、並びに/若しくはバストアップを容易に与えるのに適するようにモールド成形可能であることが好ましい。
【００２９】
好ましくは、前記外周部分４０は、このような課題を達成するのに適した、若しくは従来知られた既知の技術を使用して（例えば、裁縫、編み、織り、モールド成形等によって）形成されることができる。図４に示されているように、各ブレストカップ部分のクッション性の有るバリアー６０は、ケーシング３０、ブレストカップ部分５０、並びに/若しくは外周部分４０によってアンダーワイヤー２０に機能的に接続されている。ブレストカップ部分５０並びに/若しくは外周部分４０と同様に、クッション性の有るバリアー６０は、また、様々な層、並びに/若しくは材料で形成されることができる。各層は、これに関連した様々な所望の特徴（例えば、バルキー性、弾性、人を引きつける魅力等）を有することができる。各層は、同じ構造、若しくは形状を有する必要はない。各層は、様々な効果を与えるように、別々の形状、サイズ、並びに/若しくは構造であり得る。また、各層は、所望に応じて、所望の効果（例えば、快適性、サポート、美的な魅力等）を与えるのに唯一不可欠な他の層に位置、並びに/若しくは取着されることができる。
【００３０】
前記クッション性の有るバリアー６０は、様々な様式の効果を与え、着用者の胸部の女性を引きつける魅力を高めることが望まれるような優れた制御、サポート、並びに/若しくはバストアップを容易に与えるのに適するようにモールド成形されることが好ましい。クッション性の有るバリアー６０は、このような課題を達成するのに適した、若しくは従来知られた既知の技術を使用して（例えば、ラミネーション、裁縫、編み、織り、モールド成形等によって）形成されることができる。クッション性の有るバリアー６０は、分厚い外観、並びに/若しくはアンダーワイヤーが位置されているブラジャーの一部分としばしば関連した硬い、こわばった感触を除去、若しくは減じることが好ましい。クッション性の有るバリアー６０は、ケーシング３０、ブレストカップ部分５０、並びに/若しくは外周部分４０によって、アンダーワイヤー２０に関係した様々な別の位置に配置されることができる。例えば、クッション性の有るバリアー６０は、ブレストカップ部分５０の反対側に設けられるように配置されることができ、このときアンダーワイヤー２０、並びに/若しくはケーシング３０は、バリアーとブレストカップ部分との間に配置されている。
【００３１】
本発明の他の実施形態において、前記ブレストカップ部分５０は、ケーシング３０の少なくとも一部が、アンダーワイヤー２０と接触しないで、ブレストカップ部分５０の少なくとも一部が、アンダーワイヤーと接触するように、ブレストカップ部分自体とケーシング３０とが重なるように折られることができる。更に他の実施形態において、クッション性の有るバリアー６０は、ケーシング３０の少なくとも一部が、アンダーワイヤーと接触しないで、クッション性の有るバリアー６０が、アンダーワイヤーと接触するように、バリアー自体とケーシング３０とが重なるように折られることができる。
【００３２】
かくして、前記ブレストカップ部分５０とクッション性の有るバリアー６０とは、内側ポケット６２と外側ポケット６４との両方を形成するために協働することが好ましい。内側ポケット６２は、アンダーワイヤー２０を受けてくるみ、かくして包むようになっていることが好ましく、外側ポケット６４は、ケーシング３０を受けて包むようになっていることが好ましい。アンダーワイヤー２０、ケーシング３０、並びに/若しくは外周部分４０が、内側ポケット６２、並びに/若しくは外側ポケット６４に関係した様々な方法、並びに/若しくは様々な位置で、ブレストカップ部分５０、並びに/若しくはクッション性の有るバリアー６０に動作的に接続され得ることに注意しなければならない。かくして、クッション性の有るバリアー６０は、本発明の述べられた目的を達成するのに適した、複雑かつクッション性の有るアンダーワイヤーを形成するために、ケーシング３０、ブレストカップ部分５０、並びに/若しくは外周部分４０と協働することが好ましい。
【００３３】
本発明の好ましい態様の幾つかを説明しつつ、以下の説明は、クッション性の有るサポート用アンダーワイヤーを形成するための好ましい方法である。第１の工程で、ケーシング３０が、アンダーワイヤー２０の少なくともほぼ周りに位置されることが好ましい。次に、このケーシング３０が、ブレストカップ部分５０と外周部分４０とに連続して、好ましくは同時に、接続若しくは取着されることができる。そして、クッション性の有るバリアー６０が、内側ポケットと外側ポケットとを形成するように、ブレストカップ部分５０、並びに/若しくは外周部分４０に同様に同時に接続される。このとき、ケーシング３０、並びに/若しくはアンダーワイヤー２０は、内側ポケット、並びに/若しくは外側ポケット中に位置、並びに/若しくはポケットに囲まれている。図４に示されているように、中間層３４は、一実施形態において、図示されているようにケーシング３０の内面近くで径方向に延びていても良いし、若しくはこの内面の一部近くのみに延びていても良い。
【００３４】
図５を参照すると、ブラジャー１０の後面図が示されている。このブラジャー１０は、着用者の乳房組織を支えるため、また快適性を向上させるために、各ブレストカップ部分５０に接続されたループ状のストラップ構造をさらに有している。ブラジャー１０は、第１のフラップ６４と第２のフラップ６６とを有し、第１のフラップ６４は第１のブレストカップ６８に接続され、第２のフラップ６６は第２のブレストカップ７０に接続されていることが好ましい。好ましくは、第１のフラップ６４と第２のフラップ６６との各々は、各ブレストカップの三側で接続されている織物のほぼ直角形状セクションである。第１のフラップ６４は、第１のブレストカップ６８の長さ方向に沿ってステッチ処理によって接続されることが好ましい。同様に、第２のフラップ６６も、第２のステッチ処理によって第２のブレストカップ７０の長さに沿って接続されている。第１のフラップ６４は、前側面が第１のバンド７２に、また、対向した後側面が第２のバンド７４にさらに縫われている。また、第２のフラップ６６は、第１の前側面が第３のバンド７６に、第２の側面が第４のバンド７８に、他のステッチ機能によって縫われている。図６には、図５の第１のフラップ６４の詳細図が示されている。この第１のフラップ６４は、着用者の胸部の最下縁の相補的な位置に設けられるように配置され、この結果、胸部が第１のブレストカップ６８中にあるとき、吊り形式の部材(sling type member)を形成する。
【００３５】
このようにして、前記第１のフラップ６４は、着用者の胸部下にサポートを加え、また、乳房組織が入れられてそこに快適に保持されるためのポケットを第１のブレストカップ６８近くに形成することが好ましい。同様に、第２のフラップ６６は、着用者の他方の胸部の更なるサポートのための第２のポケットを、他の第２のブレストカップ７０近くに形成している。好ましくは、第１のフラップ６４と第２のフラップ６６との各々は、ブラジャーの残りの部分を形成している同じ、若しくは別の材料で形成されている。一実施形態において、第１のフラップ６４と第２のフラップ６６とは、ナイロンとスパンデックスとの組み合わせ、より詳細には、７６％のナイロンと２４％のスパンデックスとであり得る。代わりに、第１のフラップ６４と第２のフラップ６６とは、コットン、若しくは複合材料であり得る。しかし、当業者は、第１のフラップ６４と第２のフラップとの各々の外面が、最大限の快適性を着用者に与えるために研磨材を使用することなく滑らかであることは理解されるべきである。
【００３６】
かくして、本発明は、これの好ましい形状を特に参照して説明されているが、様々な変更並びに変形が、規定されているような本発明の精神並びに範囲から逸脱することなく果たされ得ることは明らかであろう。
【図面の簡単な説明】
【００３７】
【図１】本発明の図示の一実施形態に従ったブラジャーの前面斜視図である。
【図２】本発明の図示の一実施形態に従ったアンダーワイヤーの平面図である。
【図２Ａ】Ａ−Ａ線に沿って切断された図２のアンダーワイヤーの断面図である。
【図３】本発明の他の図示の実施形態に従った別のアンダーワイヤーの平面図である。
【図３Ａ】Ａ−Ａ線に沿って切断され、第１の方向性の断面を示した図３のアンダーワイヤーの断面図である。
【図３Ｂ】Ｂ−Ｂ線に沿って切断され、第２の方向性の断面を示した図３のアンダーワイヤーの断面図である。
【図３Ｃ】Ｃ−Ｃ線に沿って切断され、図３Ａの第１の方向性にほぼ一致した第３の方向性の断面を示した図３のアンダーワイヤーストラップの断面図である。
【図４】本発明の図示の一実施形態に従ったクッション性の有るアンダーワイヤーの拡大した側断面図である。
【図５】図５の吊り部を形成しているフラップを有した図１のブラジャーの後面図である。
【図６】図５の吊り部とフラップとを有したブレストカップを後面からみた詳細図である。
【図１】
2007507624.tif 000002
【図２】
2007507624.tif 000003
【図２Ａ】
2007507624.tif 000004
【図３】
2007507624.tif 000005
【図３Ａ】
2007507624.tif 000006
【図３Ｂ】
2007507624.tif 000007
【図３Ｃ】
2007507624.tif 000008
【図４】
2007507624.tif 000009
【図５】
2007507624.tif 000010
【図６】
2007507624.tif 000011
【国際調査報告】
2007507624.tif 000012